(57)【要約】【課題】火災発生時に框が熱により変形することで生じる隙間を確実に塞ぐことができる建具とする。【解決手段】枠体２に建具体（第１障子３、第２障子４）を開閉自在に取り付け、建具体の框（第１障子３の召合せ框３２）と被施錠用部材（第２障子４の召合せ框４２）を錠（クレセント錠５）で施錠する建具とし、框と被施錠用部材との間における錠の近くである長さ方向中間部に高温で発泡する第１加熱発泡材６ａを設け、錠と遠くである長さ方向両端部に第１加熱発泡材６ａよりも低温で発泡する第２・第３加熱発泡材６ｂ，６ｃを設け、火災時に框と被施錠用部材との間に生じる隙間を加熱発泡材６ａ，６ｂで確実に塞ぐことができるようにする。【選択図】図３
2015148056.tif 000002
【特許請求の範囲】
【請求項１】
建具体の框を、当該框と長さ方向全長に渡り対向した被施錠用部材に施錠する錠を備えた建具であって、
前記框の長さ方向中間部と前記被施錠用部材の長さ方向中間部とに渡って前記錠を取り付け、
前記框の長さ方向中間部と前記被施錠用部材の長さ方向中間部との間に、加熱発泡材を設け、
前記框の長さ方向両端部と前記被施錠用部材の長さ方向両端部との間に、前記長さ方向中間部に設けた加熱発泡材よりも低温で発泡開始する加熱発泡材を設けたことを特徴とする建具。
【請求項２】
前記長さ方向中間部に設けた加熱発泡材と、前記長さ方向両端部に設けた加熱発泡材は、長さ方向に連続している請求項１記載の建具。
【請求項３】
前記建具体は、枠体に開き位置と閉じ位置とに渡って移動自在に取り付けた第１障子及び第２障子とし、
前記第１障子の召合せ框の長さ方向中間部と、第２障子の召合せ框の長さ方向中間部とに渡って錠を取り付け、
前記第１障子の召合せ框の面外方向一側面と、第２障子の召合せ框の面外方向他側面の少なくとも一方に加熱発泡材を設けた請求項１又は２記載の建具。
【発明の詳細な説明】
【技術分野】
【０００１】
本発明は、引き違い窓、片引き窓、上げ下げ窓、開き窓、ドア等の錠を備えた建具に関する。
【背景技術】
【０００２】
引き違い窓においては、室内側障子と室外側障子を閉じ位置とした状態で、室内側障子の召合せ框と室外側障子の召合せ框が室内外側方向に重なり合う。
かかる引き違い窓は火災時に召合せ框は、加熱面側からの熱による伸び、反りが生じることで、召合せ框が互いに室内外側方向に離れるように変形する。このために、召合せ框間に隙間が生じ、その隙間を炎が通るから防火性能が劣る。
【０００３】
このことを解消しようとする引き違い窓が特許文献１に開示されている。
この引き違い窓は、室内側障子の召合せ框及び室外側障子の召合せ框に熱膨張性耐火材のシートを設け、火災時に熱膨張性耐火材のシートが熱膨張することで、召合せ框間に生じた隙間を塞ぎ、炎が通ることがないようにしたものである。
【先行技術文献】
【特許文献】
【０００４】
【特許文献１】特開２００５−３５１００８号公報
【発明の概要】
【発明が解決しようとする課題】
【０００５】
引き違い窓においては、室内側障子の召合せ框と室外側障子の召合せ框の長手方向中央付近にクレセント錠などの錠を取り付け、障子を閉じた状態で、両方の召合せ框相互を錠で施錠するようにしている。
このために、召合せ框の中央付近は、互いに室内外側方向に離れようとすることが錠で拘束されるので、火災発生初期には召合せ框が互いに室内外側方向に離れるように変形することが抑制されるが、火災発生から時間経過することで、熱により錠が溶けるなどして前述の拘束が弱くなってくると、召合せ框は互いに室内外側方向に離れるように変形を始め、召合せ框間に隙間が生じる。
一方、召合せ框の上端部及び下端部は錠により拘束されていないので、召合せ框の中央付近に比べ互いに室内外側方向に離れるように変形し易く、火災発生から早い時期に召合せ框間に隙間が生じる。
つまり、召合せ框相互を錠で施錠するようにした引き違い窓においては、召合せ框の錠で施錠する中央付近と、召合せ框の錠で施錠しない上端部及び下端部とでは、火災発生から隙間が生じるまでに時間差がある。
【０００６】
このようであるから、召合せ框に設けた熱膨張耐火材のシートの熱膨張開始する温度を高くすることで、召合せ框の中央付近に隙間に生じたときに熱膨張耐火材のシートが熱膨張開始するようにすると、召合せ框の上端部、下端部に隙間が生じたときに熱膨張耐火材が熱膨張しないので、その隙間を炎が通ってしまう。
これとは逆に、召合せ框に設けた熱膨張耐火材のシートの熱膨張開始する温度を低くし、召合せ框の上端部、下端部に隙間が生じたときに膨張耐火材が熱膨張開始し、その隙間を塞ぐようにすると、召合せ框の中央付近に設けた熱膨張耐火材のシートは、召合せ框間に隙間が生じていない状態で熱膨張開始するので、その熱膨張で召合せ框の中央付近が離れるように変形しようとするから錠による拘束が弱められてしまう。
しかも、火災発生から時間が経過して召合せ框の中央付近が互いに室内外側方向に離れるように変形開始したときには熱膨張耐火材のシートの熱膨張が終了しており、その後に召合せ框の中央付近が互いに室内外側方向に離れるように変形することで生じた隙間を塞ぐことができず、その隙間を炎が通ってしまう。
【０００７】
本発明は、前述の課題に鑑みなされたものであり、その目的は、火災発生時に障子の框が熱により変形することで生じる隙間を確実に塞ぐことができるようにした建具とすることである。
【課題を解決するための手段】
【０００８】
本発明は、建具体の框を、当該框と長さ方向全長に渡り対向した被施錠用部材に施錠する錠を備えた建具であって、
前記框の長さ方向中間部と前記被施錠用部材の長さ方向中間部とに渡って前記錠を取り付け、
前記框の長さ方向中間部と前記被施錠用部材の長さ方向中間部との間に、加熱発泡材を設け、
前記框の長さ方向両端部と前記被施錠用部材の長さ方向両端部との間に、前記長さ方向中間部に設けた加熱発泡材よりも低温で発泡開始する加熱発泡材を設けたことを特徴とする建具である。
【０００９】
本発明の建具は、前記長さ方向中間部に設けた加熱発泡材と、前記長さ方向両端部に設けた加熱発泡材は、長さ方向に連続することができる。
【００１０】
本発明の建具は、前記建具体は、枠体に開き位置と閉じ位置とに渡って移動自在に取り付けた第１障子及び第２障子とし、
前記第１障子の召合せ框の長さ方向中間部と、第２障子の召合せ框の長さ方向中間部とに渡って錠を取り付け、
前記第１障子の召合せ框の面外方向一側面と、第２障子の召合せ框の面外方向他側面の少なくとも一方に加熱発泡材を設けることができる。
【発明の効果】
【００１１】
本発明によれば、火災発生から早い時間帯に框、被施錠用部材の長さ方向両端部に設けた加熱発泡材が発泡開始し、框の長さ方向両端部と被施錠用部材の長さ方向両端部との間に生じた隙間を塞ぐことができる。
火災発生から時間が経過した遅い時間帯に框、被施錠用部材の長さ方向中間部に設けた加熱発泡材が発泡開始し、錠による変形の抑制がなくなり、框と被施錠用部材との間に生じた隙間を塞ぐことができる。
したがって、火災発生時に障子の框が熱により変形することで生じる隙間を確実に塞ぐことができる。
【図面の簡単な説明】
【００１２】
【図１】本発明の第１の実施の形態を示す引き違い窓の正面図である。
【図２】図１のＡ−Ａ断面図である。
【図３】図１の縦断面図である。
【図４】図１の横断面図である。
【図５】本発明の第２の実施の形態を示す上げ下げ窓の正面図である。
【図６】図１のＢ−Ｂ断面図である。
【図７】本発明の第３の実施の形態を示すすべり出し窓の正面図である。
【図８】図７のＣ−Ｃ断面図である。
【図９】本発明の第４の実施の形態を示すたてすべり出し窓の正面図である。
【図１０】図９のＤ−Ｄ断面図である。
【発明を実施するための形態】
【００１３】
図１に示すように、建具１は、枠体２と、枠体２に開閉自在に取り付けた建具体を備えている。
図１に示す建具１は、枠体２の室内側に開閉自在に取り付けた第１障子３と、枠体２の室外側に取り付けた第２障子４が建具体である。
枠体２は、上枠２ａと下枠２ｂと第１縦枠２ｃと第２縦枠２ｄで方形状である。
第１障子３及び第２障子４は、枠体２の上枠２ａ、下枠２ｂの長さ方向に移動自在で、閉じ位置と開き位置とに渡って引き違いに移動する。
これにより、建具１は引き違い窓としてある。
【００１４】
第１障子３は、上框３０と下框３１と召合せ框３２と戸当り框３３を方形状に連結し、その内部に面材３４が装着してある。
第２障子４は、上框４０と下框４１と召合せ框４２と戸当り框４３を方形状に連結し、その内部に面材４４が装着してある。
第１障子３の召合せ框３２の長さ方向中間部（上下中間部）と第２障子４の召合せ框４２の長さ方向中間部（上下中間部）とに渡って錠、例えばクレセント錠５が取り付けてある。
第１障子３及び第２障子４を閉じ位置とすることで、召合せ框３２，４２相互が室内外側方向に重なり合い、第１障子３の戸当り框３３が第１縦枠２ｃに当接し、第２障子４の戸当り框４３が第２縦枠２ｄに当接する。
【００１５】
クレセント錠５は図２に示すように、第１障子３の召合せ框３２の長さ方向中間部に取り付けたクレセント５０と、第２障子４の召合せ框４２の長さ方向中間部に取り付けたクレセント受５１を備え、ハンドル５２でクレセント５０を回動することで、クレセント５０をクレセント受５１に係合することで、第１障子３の召合せ框３２の長さ方向中間部と第２障子４の召合せ框４２の長さ方向中間部を施錠する。
つまり、一方の召合せ框３２又は４２が障子の框で、他方の召合せ框４２又は３２が被施錠用部材で、障子の框と被施錠用部材は長さ方向全長が対向する。
【００１６】
これにより、召合せ框３２，４２のクレセント錠５で施錠した長さ方向中間部（クレセント錠５に近く）が互いに室内外側方向に離れようとすることが拘束され、召合せ框３２，４２のクレセント錠５近くが、熱による伸び、反りでの互いに室内外側方向に離れるように変形することが抑制される。
召合せ框３２，４２の長さ方向一端部及び長さ方向他端部（クレセント錠５と遠く）は互いに室内外側方向に離れようとすることが拘束されていないので、召合せ框３２，４２のクレセント錠５と遠くの長さ方向両端部は、熱による伸び、反りでの互いに室内外側方向に離れるように変形することは抑制されず、加熱された側の召合せ框が図２に仮想線で示すように、自由に変形する。
【００１７】
図３及び図４に示すように、第１障子３の各框３０，３１，３２，３３及び第２障子４の上框４０、下框４１、戸当り框４３は、金属、例えばアルミ合金押し出し形材より成る室外側部材６０と、合成樹脂、例えば合成樹脂押し出し形材より成る室内側部材６１を有した金属樹脂複合タイプである。第２障子４の召合せ框４２は金属、例えばアルミ合金押し出し形材より成る。
【００１８】
図４に示すように、第１障子３及び第４障子４を閉じ位置とした状態で、第１障子３の召合せ框３２の面外方向一側面（室外側面）３２ａの長さ方向全長と、第２障子４の召合せ框４２の面外方向他側面（室内側面）４２ａの長さ方向全長が室内外側方向に相対向する。
そして、面外方向一側面３２ａと面外方向他側面４２ａとの間に耐火性を有した加熱発泡材６が各召合せ框３２，４２の長さ方向全長に渡って設けてある。
例えば、加熱発泡材６をシート状とし、第１障子３の召合せ框３２の面外方向一側面３２ａの長さ方向全長と、第２障子４の召合せ框４２の面外方向他側面４２ａの長さ方向全長とに接着剤で接着する。
なお、第１障子３の召合せ框３２の面外方向一側面３２ａと第２障子４の召合せ框４２の面外方向他側面４２ａのどちらか一方にのみ加熱発泡材６を設けても良い。
【００１９】
前記加熱発泡材６は図３に示すように、召合せ框３２，４２のクレセント錠５で施錠される部分及び施錠される部分に近い長さ方向中間部（つまり、クレセント錠５の近く）、例えば上下方向中間部に設けた第１加熱発泡材６ａと、召合せ框３２，４２のクレセント錠５で施錠される部分と離れた長さ方向一端部（つまり、クレセント錠５と遠く）、例えば上端部に設けた第２加熱発泡材６ｂと、召合せ框３２，４２のクレセント錠５で施錠される部分と離れた長さ方向他端部（つまり、クレセント錠５と遠く）、例えば下端部に設けた第３加熱発泡材６ｃを備えている。
【００２０】
第１加熱発泡材６ａは高温で発泡するものである。
第２加熱発泡材６ｂ及び第３加熱発泡材６ｃは、第１加熱発泡材６ａよりも低い温度、つまり低温で発泡するものである。
【００２１】
このようであるから、室外で火災が発生したときには第２障子の召合せ框４２の室外側面が加熱され、召合せ框４２は伸び、反りが生じる。このために、召合せ框４２の長さ方向上端部及び長さ方向下端部は火災発生から早い時間帯で第１障子の召合せ框３２と離れるように変形し、火災発生から早い時間帯で隙間が生じる。
各召合せ框３２，４２の長さ方向中間部はクレセント錠５で互いに室内外側方向に離れようとすることが拘束されているから、第２障子４の召合せ框４２の長さ方向中間部は火災発生から早い時間帯では第１障子４の召合せ框３２と離れるように変形しない。
火災発生から時間が経過した遅い時間帯でクレセント錠５が溶けるなどして拘束が弱まると、召合せ框４２の長さ方向中間部が召合せ框３２と離れるように変形開始するので、各召合せ框３２，４２の長さ方向中間部は火災発生から遅い時間帯で隙間が生じる。
【００２２】
第２加熱発泡材６ｂ及び第３加熱発泡材６ｃは第１加熱発泡材６ａよりも低温で発泡開始するから、火災発生から早い時間帯で発泡開始するので、各召合せ框３２，４２の長さ方向上端部と長さ方向下端部とで生じた隙間を塞ぐことができる。
第１加熱発泡材６ａは第２・第３加熱発泡材６ｂ，６ｃよりも高温で発泡開始するから、火災発生から時間が経過した遅い時間帯で発泡開始し、各召合せ框３２，４２の長さ方向中間部に生じた隙間を塞ぐことができる。
【００２３】
以上のようであるから、本発明の引き違い窓によれば、火災時に第１障子３の召合せ框３２と第２障子４の召合せ框４２との間に生じた隙間を加熱発泡材６で塞ぎ、炎が通ることがないので、防火性に優れた引き違い窓である。
【００２４】
本発明は、引違い窓に限ることはなく、種々の窓、ドアにも適用できる。
上げ下げ窓の場合には、図５に示すように第１障子３、第２障子４は、召合せ框３２，４２が横方向に向かう。
クレセント錠５は召合せ框３２，４２の長さ方向中間部、つまり、左右方向の中間部に取り付けられる。
【００２５】
図６に示すように、第１障子３の召合せ框３２の面外方向一側面（室外側面）３２ａと第２障子４の召合せ框４２の面外方向他側面（室内側面）４２ａとの間に耐熱性を有する加熱発泡材６を設ける。例えば、第１障子３の召合せ框３２の面外方向一側面３２ａと第２障子４の召合せ框４２の面外方向他側面４２ａとに、加熱発泡材６をシートとしたものを接着して設ける。
この加熱発泡材６は、第１の実施の形態と同様に、長さ方向中間部に第１加熱発泡材６ａを設け、長さ方向両端部に第２・第３加熱発泡材６ｂ、６ｃを設ける。
【００２６】
このようにすることで、火災発生時に召合せ框３２，４２間に生じる隙間を加熱発泡材６で確実に塞ぐことができる。
【００２７】
すべり出し窓の場合には、図７に示すように枠体２に１つの障子７を室外側にすべり出し可能に取り付け、枠体２の下枠２ｂの長さ方向中間部（左右中間部）と障子７の下框７０の長さ方向中間部（左右中間部）に渡って錠５を取り付けてある。
すべり出し窓の場合には下框７０が障子の框で、下枠２ｂが被施錠用部材である。
【００２８】
錠５は図８に示すように、下框７０の室内側部材６１に取り付けたハンドル５３を有した錠杆５４と、下枠２ｂに取り付けた錠受５５を備え、ハンドル５３で錠杆５４を回動することで、錠杆５４を錠受５５に係止することで、障子７の下框７０の長さ方向中間部を枠体２の下枠２ｂの長さ方向中間部に施錠する。
【００２９】
下框７０は、下枠２ｂの室外側に向かう面２ｂ−１と対向する下向壁７１を有している。
下向壁７１と下枠２ｂとの間に加熱発泡材６が設けてある。例えば、加熱発泡材６のシートを、下向壁７１における下枠２ｂの面２ｂ−１と対向した面外方向一側面（室内側面）７１ａに接着剤で接着して設ける。
加熱発泡材６は、図７に示すように、下向壁７１の長さ方向中間部（左右中間部）に、高温で発泡開始する第１加熱発泡材６ａを設け、下向壁７１の長さ方向一端部（左端部）に、第１加熱発泡材６ａよりも低温で発泡開始する第２加熱発泡材６ｂを設け、下向壁７１の長さ方向他端部（右端部）に、第１加熱発泡材６ａよりも低温で発泡開始する第３加熱発泡材６ｃを設ける。
【００３０】
このようにすることで、火災発生時に下框７０と下枠２ｂとの間に生じる隙間を加熱発泡材６で確実に塞ぐことができる。
【００３１】
たてすべり出し窓の場合には、図９に示すように枠体２の第１縦枠２ｃの長さ方向中間部（上下中間部）と障子７の縦框７２の長さ方向中間部（上下中間部）とに渡って錠５を取り付け、縦框７２の長さ方向中間部と第１縦枠２ｃの長さ方向中間部を施錠する。
つまり、障子７の縦框７２が障子の框で、第１縦枠２ｃが被施錠用部材である。
【００３２】
図１０に示すように、召合せ框７２は第１縦枠２ｃの室外側に向かう面２ｃ−１と対向した横向壁７３を有している。
横向壁７３と第１縦枠２ｃとの間に加熱発泡材６が設けてある。
例えば、横向壁７３における第１縦枠２ｃの面２ｃ−１と対向した面外方向一側面（室内側面）７３ａに加熱発泡材６のシートを接着剤で接着して設ける。
【００３３】
加熱発泡材６は図９に示すように、横向壁７３の長さ方向中間部（上下中間部）に、高温で発泡開始する第１加熱発泡材６ａを設け、横向壁７３の長さ方向一端部（上端部）に、低温で発泡開始する第２加熱発泡材６ｂを設け、横向壁７３の長さ方向他端部（下端部）に、低温で発泡開始する第３加熱発泡材６ｃを設ける。
【００３４】
このようにすることで、火災発生時に召合せ框７２と第１縦枠２ｃとの間に生じる隙間を加熱発泡材６で確実に塞ぐことができる。
【００３５】
開き窓、開きドアの場合には、図示を省略するが、たてすべり出し窓と同様に、障子（扉）の召合せ框の長さ方向中間部と縦枠の長さ方向中間部とに渡って錠が取り付けられ、召合せ框は縦枠の室外側に向かう面と対向した横向壁を有するので、横向壁と縦枠の面との間に加熱発泡材を設ける。
そして、横向壁の長さ方向中間部には、高温で発泡する第１加熱発泡材を設け、横向壁の長さ方向一端部、長さ方向他端部には、第１加熱発泡材よりも低温で発泡開始する第２・第３加熱発泡材を設ける。
【００３６】
このようにすることで、火災発生時に召合せ框と縦枠との間に生じる隙間を加熱発泡材で確実に塞ぐことができる。
【００３７】
錠はクレセント錠に限ることはなく、障子の戸先框を縦枠に施錠する戸先錠でも良い。この場合には戸先框が障子の框で、縦枠が被施錠用部材である。
【符号の説明】
【００３８】
１…建具、２…枠体、２ｂ…下枠（施錠用枠部材）、２ｃ…第１縦枠（施錠用枠部材）、３…第１障子（建具体）、４…第２障子（建具体）、５…クレセント錠（錠）、６…加熱発泡材、６ａ…第１加熱発泡材、６ｂ…第２加熱発泡材、６ｃ…第３加熱発泡材、７…障子（建具体）、３２…召合せ框（障子の框）、４２…召合せ框（被施錠用部材）、７０…下框（障子の框）、７２…縦框（障子の框）。
【図１】
2015148056.tif 000003
【図２】
2015148056.tif 000004
【図３】
2015148056.tif 000005
【図４】
2015148056.tif 000006
【図５】
2015148056.tif 000007
【図６】
2015148056.tif 000008
【図７】
2015148056.tif 000009
【図８】
2015148056.tif 000010
【図９】
2015148056.tif 000011
【図１０】
2015148056.tif 000012